(57)【要約】      （修正有）【課題】組み立てが迅速で、便利なほうきと塵取りの組み合わせ構造を提供する。【解決手段】塵取りとほうきを組み合わせてなり、塵取りは、承起部末端に連結槽を延伸し、その下端に支承ブロックを設置し、承起部を支承して傾倒するのを防止する。連結槽は、定位孔と滑動弧槽を開設して、取っ手を置入することができる。また、取っ手末端は、定位柱と滑動柱を設置し、それぞれ、定位孔と滑動弧槽と適合し、定位孔を支点として、取っ手が滑動弧槽に沿って９０度回転する。不使用時、取っ手と連結槽は直線状を形成し、使用時、取っ手を湾折して連結槽と垂直にして、塵取りとして使用できる。また、取っ手は頂端から底端まで容槽を開設し、ほうきを容槽内に置入することができ、ほうきと塵取りを収容し、空間を占有しない。【選択図】図４
0003143173.tif 000002
【実用新案登録請求の範囲】
【請求項１】
ほうきと塵取りの組み合わせ構造であって、主に、塵取りとほうきを組み合わせてなり、その特徴は、前記塵取りは、取っ手と承起部とからなり、前記承起部末端に連結槽を延伸し、定位孔と滑動弧槽を開設し、取っ手一端は、定位柱と滑動柱を形成し、前記連結槽内で回転でき、不使用時、前記取っ手を湾折して前記連結槽と直線状にし、使用時に、前記とってと前記連結槽を垂直にして、塵取りが使用できることを特徴とするほうきと塵取りの組み合わせ構造。
【請求項２】
前記連結槽底端は支承ブロックを設置することを特徴とする請求項１に記載のほうきと塵取りの組み合わせ構造。
【請求項３】
前記取っ手は、上端から下端に容槽を開設し、前記容槽内にブロックを設置することを特徴とする請求項１に記載のほうきと塵取りの組み合わせ構造。
【考案の詳細な説明】
【技術分野】
【０００１】
本考案はほうきと塵取りの組み合わせ構造に関するものであって、収納に便利で、空間を占有しないほうきと塵取りの組み合わせ構造に関するものである。
【背景技術】
【０００２】
公知のほうきと塵取りの結合装置は、主に、塵取りの取っ手頂端に、挟着部分を有し、挟着部分の側辺に、挟口を有する挟着座を延伸していて、挟着座により、ほうきの取っ手を挟持する。公知の装置は、ほうきと塵取りを結合して収納することができるが、空間を占有することが欠点である。
【考案の開示】
【考案が解決しようとする課題】
【０００３】
本考案の目的は、ほうきと塵取りの組み合わせ構造の新設計を提供し、特に、組み立てが迅速で、便利な折り畳み式のほうきと塵取りの組み合わせ構造を提供することにある。
【課題を解決するための手段】
【０００４】
上述の目的を達成するため、本考案は、組み立てが迅速で、便利な折り畳み式のほうきと塵取りの組み合わせ構造を提供し、本構造は、主に、塵取りとほうきを組み合わせてなり、塵取りは、承起部末端に連結槽を延伸し、その下端に支承ブロックを設置し、上端に定位孔と滑動弧槽を開設して、取っ手を置入することができる。また、取っ手末端は、定位柱と滑動柱を設置し、それぞれ、定位孔と滑動弧槽と適合し、定位孔を支点として、取っ手が滑動弧槽に沿って９０度回転する。不使用時、取っ手と連結槽は直線状を形成し、使用時、取っ手を湾折して連結槽と垂直にして、塵取りが使用できる。また、取っ手は頂端から底端まで容槽を開設し、ほうきを容槽内に置入することができる。
【考案の効果】
【０００５】
本考案の組み立てが迅速で、便利な折り畳み式のほうきと塵取りの組み合わせ構造により、使用が簡単、便利で、ほうきは直接、取っ手の容槽と承起部内に収容でき、不使用時には、直線状にできることから、空間を占有しないという長所が得られる。
【考案を実施するための最良の形態】
【０００６】
まず、図１は、本考案の立体分解図であり、主に、塵取り２とほうき３とからなる。塵取り２は、承起部２１と取っ手２２からなり、承起部２１末端に、連結槽２３を形成し、その下端に支承ブロック２３３を設置し、且つ、連結槽２３両側は、定位孔２３１と滑動弧槽２３２を開設している。取っ手２２は細長く、末端は定位柱２２１と滑動柱２２２を設置して、それぞれ、定位孔２３１と滑動弧槽２３２と適合し、且つ、取っ手２２は、頂端から底端まで容槽２２０を設置し、ほうき３の取っ手３０を置入することができ、同時に、底端のブラシ部３１も、承起部２１の承置槽２１０内に貼合して収容することができる（図２で示される）。
【０００７】
図２から分かるように、ほうき３の取っ手３０を容槽２２０内に置入する時、容槽２２０内に設置されたブロック２２３により、取っ手３０を緊密に挟持することができ、脱落しない。また、取っ手３０、及び、ブラシ部３１は、それぞれ、塵取り２の容槽２２０と承置槽２１０内に置入されるので、組み立てが快速、簡単なだけでなく、空間を占有せず、特に、ブラシ部３１が承置槽２１０内に貼置され、承起部２１によりブラシ部３１の変形を防止することができる。取っ手３０頂端には、スリーブ３２を結合し、頂端に、リング３２０を形成し、結合された塵取りとほうきを任意の位置に吊るすことができる。
【０００８】
次に、塵取り２の構造は、図３で示されるように、塵取り２は、承起部２１と取っ手２２からなり、承起部２１末端に、連結槽２３を形成して、取っ手２２を結合する。図４で示されるように、取っ手２２が連結槽２３に置入される時、定位柱２２１と滑動柱２２２は、それぞれ、連結槽２３の定位孔２３１と滑動弧槽２３２内に置入され、取っ手２２が定位柱２２１を支点として回転し、且つ、滑動弧槽２３２により、取っ手２２の９０度の回転を制御し、容槽２２０内に位置するブロック２２３が、ほうき３の取っ手３０を挟固する。また、連結槽２３底端に、支承ブロック２３３を設置し、塵取りを使用するとき、地面に起立させ、傾倒するのを防止する。承起部２１の上端は適当な長さのギザギザ部２１１を開設し、ほうき３のブラシ部３１の汚れをここで削り取ることができる。
【０００９】
ここで、取っ手２２の折り畳み方式は、図５と図６で示されるように、承起部２１と取っ手２２の未使用時、直線状態を維持し（図５で示される）、且つ、定位柱２２１は連結槽２３の定位孔２３１内に嵌合し、滑動柱２２２は滑動弧槽２３２の頂端に嵌合する。使用時、取っ手２２を反時計回りに回転させると、取っ手２２は定位柱２２１を支点として回転し、滑動柱２２２は滑動弧槽２３２に沿って底端まで移動する。この時、取っ手２２が９０度回転し、承起部２１と垂直になり（図６で示される）、使用ができるようになる。
【００１０】
図７を参照すると、本考案の塵取りを９０度湾折して使用する時、承起部２１は地面に平置し、取っ手２２は彎折して承起部２１と垂直になり、後端の連結槽２３下方に設置された支承ブロック２３３により、塵取り２の後端を高くし、塵取り２が安定して起立し、傾倒せず、承置槽２１０の前端は地面に貼接して、清掃しやすい。
【００１１】
図８は、本考案の塵取り２を湾折して使用する時の立体外観図で、取っ手２２を上向け（反時計回り）に湾折する時、取っ手２２末端の定位柱２２１が連結槽２３に開設された定位孔２３１を支点として回転し、連結槽２３が開設する滑動弧槽２３２により、内に位置する滑動柱２２２の９０度のみの回転に制限し、且つ、９０度回転後、自然に、滑動弧槽２３２の底端で停止する。使用しない時、図９で示されるように、取っ手２２を下向け（時計回り）にし、滑動柱２２２が連結槽２３上の滑動弧槽２３２に沿って頂端まで回転し、取っ手２２は、承起部２１と一直線をなす。この時、ほうき３は、直接、取っ手２２の容槽２２０から置入し、ほうき３の取っ手２０を容槽２２０に置入し、ブラシ部３１は承置槽２１０に置入され、且つ、容槽２２０内のブロック２２３は、ほうき３を緊密に挟持して、脱落しない（図２で示される）。
【図面の簡単な説明】
【００１２】
【図１】本考案の立体分解図である。
【図２】本考案の収容時の立体図である。
【図３】本考案の塵取りの立体分解図である。
【図４】本考案の連結槽と取っ手結合の局部拡大立体図である。
【図５】本考案の取っ手の未回転時を示す図である。
【図６】本考案の取っ手の回転時を示す図である。
【図７】本考案の承起部使用を示す図である。
【図８】本考案の塵取り使用時の立体外観図である。
【図９】本考案の塵取り未使用時の立体外観図である。
【符号の説明】
【００１３】
２  塵取り
３  ほうき
２１  承起部
２２  取っ手
２３  連結槽
３０  ほうきの取っ手
３１  ブラシ部
２１０  承置槽
２１１  ギザギザ部
２２０  容槽
２２１  定位柱
２２２  滑動柱
２２３  ブロック
２３１  定位孔
２３２  滑動弧槽
２３３  支承ブロック
【図１】
0003143173.tif 000003
【図２】
0003143173.tif 000004
【図３】
0003143173.tif 000005
【図４】
0003143173.tif 000006
【図５】
0003143173.tif 000007
【図６】
0003143173.tif 000008
【図７】
0003143173.tif 000009
【図８】
0003143173.tif 000010
【図９】
0003143173.tif 000011